(57)【要約】【課題】減速機の効率を向上させる減速機用潤滑剤組成物及びこれを用いた減速機を提供すること。【解決手段】下記の成分（ａ）〜（ｃ）を含む減速機用潤滑剤組成物。（ａ）基油、（ｂ）モリブデンジチオカーバメート、及び（ｃ）石油スルホン酸のカルシウム塩、アルキル芳香族スルホン酸のカルシウム塩、酸化ワックスのカルシウム塩、石油スルホン酸の過塩基性カルシウム塩、アルキル芳香族スルホン酸の過塩基性カルシウム塩、  及び酸化ワックスの過塩基性カルシウム塩からなる群から選択される少なくとも１種のカルシウム塩；これを封入した減速機。【特許請求の範囲】
【請求項１】
下記の成分（ａ）〜（ｃ）を含む減速機用潤滑剤組成物。
（ａ）基油、
（ｂ）モリブデンジチオカーバメート、及び
（ｃ）石油スルホン酸のカルシウム塩、アルキル芳香族スルホン酸のカルシウム塩、酸化ワックスのカルシウム塩、石油スルホン酸の過塩基性カルシウム塩、アルキル芳香族スルホン酸の過塩基性カルシウム塩、  及び酸化ワックスの過塩基性カルシウム塩からなる群から選択される少なくとも１種のカルシウム塩。
【請求項２】
モリブデンジチオカーバメートが下記式で示されるものである請求項１記載の減速機用潤滑剤組成物。
（Ｒ１Ｒ２Ｎ−ＣＳ−Ｓ）２−Ｍｏ２ＯｍＳｎ
（式中、Ｒ１、Ｒ２は独立して、炭素原子数５〜２４のアルキル基を表し、ｍは０〜３、ｎは４〜１であり、ｍ＋ｎ＝４である。）
【請求項３】
さらに、（ｄ）増ちょう剤を含有する請求項１又は２記載の減速機用潤滑剤組成物。
【請求項４】
（ｄ）成分がリチウム系増ちょう剤である請求項３記載の減速機用潤滑剤組成物。
【請求項５】
全組成物中、（ｂ）モリブデンジチオカーバメート  ０．１〜３０質量％、（ｃ）カルシウム塩  ０．１〜１５質量％、（ｄ）増ちょう剤  ０〜２０質量％である請求項１〜４のいずれか１項記載の減速機用潤滑剤組成物。
【請求項６】
請求項１〜５のいずれか１項記載の減速機用潤滑剤組成物を封入した減速機。
【発明の詳細な説明】
【０００１】
【発明の属する技術分野】
本発明は、減速機に用いられる潤滑剤組成物、及びこれを用いた減速機に関する。
【０００２】
【従来の技術】
減速機内部は複数の滑り部分と転がり部分で構成されており、入力側にトルクを加えると出力側に減速もしくは増速してトルクが伝達される。この時、減速機内部摺動部のトルク損失を出来る限り抑え、出力側に効率良く伝達された方が好ましい。減速機の伝達能力は、出力側トルクを入力側トルクに減速比を乗じた値で除した数値を百分率で表す。これを減速機の効率と言い、減速機の内部摩擦損失を低減すれば減速機の効率は向上する。
減速機の摩擦低減効果を高める手段として潤滑剤組成物にモリブデンジチオカーバメートを配合した潤滑油、グリースが使用されていたが、効率が不十分である。また、ウレア系増ちょう剤にモリブデンジチオカーバメートとモリブデンジチオホスフェートを含有する潤滑剤も提案されているが効率の点で十分とはいえない（例えば、特許文献１参照）。
【０００３】
【特許文献１】
特開平０７−３０１２８５号公報
【０００４】
【発明が解決しようとする課題】
本発明の目的は、高効率の減速機用潤滑剤組成物を提供することである。
本発明の他の目的は、高効率の減速機を提供することである。
【０００５】
【課題を解決するための手段】
本発明者等は鋭意検討した結果、  特定の成分を含有してなる減速機用潤滑剤組成物が上記目的を達成し得るという知見を得た。本発明は、上記知見に基づいてなされたもので、下記の減速機用潤滑剤組成物及びこれを用いた減速機を提供するものである。
１．下記の成分（ａ）〜（ｃ）を含む減速機用潤滑剤組成物。
（ａ）基油、
（ｂ）モリブデンジチオカーバメート、及び
（ｃ）石油スルホン酸のカルシウム塩、アルキル芳香族スルホン酸のカルシウム塩、酸化ワックスのカルシウム塩、石油スルホン酸の過塩基性カルシウム塩、アルキル芳香族スルホン酸の過塩基性カルシウム塩、  及び酸化ワックスの過塩基性カルシウム塩からなる群から選択される少なくとも１種のカルシウム塩。
２．モリブデンジチオカーバメートが下記式で示されるものである上記１記載の減速機用潤滑剤組成物。
（Ｒ１Ｒ２Ｎ−ＣＳ−Ｓ）２−Ｍｏ２ＯｍＳｎ
（式中、Ｒ１、Ｒ２は独立して、炭素原子数５〜２４のアルキル基を表し、ｍは０〜３、ｎは４〜１であり、ｍ＋ｎ＝４である。）
３．さらに、（ｄ）増ちょう剤を含有する上記１又は２記載の減速機用潤滑剤組成物。
４．（ｄ）成分がリチウム系増ちょう剤である上記３記載の減速機用潤滑剤組成物。
５．全組成物中、（ｂ）モリブデンジチオカーバメート  ０．１〜３０質量％、（ｃ）カルシウム塩  ０．１〜１５質量％、（ｄ）増ちょう剤  ０〜２０質量％である上記１〜４のいずれか１項記載の減速機用潤滑剤組成物。
６．上記１〜５のいずれか１項記載の減速機用潤滑剤組成物を封入した減速機。
【０００６】
【発明の実施の形態】
本発明の潤滑剤組成物に使用する成分（ａ）の基油としては鉱油、エステル油、合成炭化水素油、フェニルエーテル、ポリグリコールなど通常潤滑剤組成物の基油として使用されている潤滑油がいずれも使用できる。
【０００７】
本発明の潤滑剤組成物に使用する成分（ｂ）のモリブデンジチオカーバメート（ＭｏＤＴＣ）の好ましい例としては下記の式（１）で表されるものが挙げられる。
（Ｒ１Ｒ２Ｎ−ＣＳ−Ｓ）２−Ｍｏ２ＯｍＳｎ
（式中、Ｒ１、Ｒ２は独立して、炭素原子数５〜２４のアルキル基を表し、ｍは０〜３、ｎは４〜１であり、ｍ＋ｎ＝４である。）
本発明の潤滑剤組成物中のＭｏＤＴＣの量は、好ましくは０．１〜３０質量％、さらに好ましくは１０〜２０質量％である。０．１質量％未満では効率が不充分となる傾向があり、また３０質量％を超えてもさらなる効果の向上は認められない。
【０００８】
本発明の潤滑剤組成物に使用する成分（ｃ）のカルシウム塩としては、エンジン油等の潤滑油に用いられる金属系清浄分散剤や防錆剤として使用される全てのカルシウムスルホネートや、酸化ワックスのカルシウム塩、酸化ワックスの過塩基性カルシウム塩が使用できる。
例えば、潤滑油留分中の芳香族炭化水素成分のスルホン化によって得られる石油スルホン酸のカルシウム塩、ジノニルナフタレンスルホン酸やアルキルベンゼンスルホン酸のようなアルキル芳香族スルホン酸のカルシウム塩、  酸化ワックスのカルシウム塩、石油スルホン酸の過塩基性カルシウム塩、アルキル芳香族スルホン酸の過塩基性カルシウム塩、  及び酸化ワックスの過塩基性カルシウム塩等が挙げられ、特に好ましいものとしては過塩基性カルシウムスルホネートが挙げられる。
本発明の潤滑剤組成物中の成分（ｃ）カルシウム塩の量は、好ましくは０．１〜１５質量％、さらに好ましくは０．５〜１０質量％である。０．１質量％未満では効率が不充分となる傾向があり、また１５質量％を超えてもさらなる効果の向上は認められない。
【０００９】
本発明の潤滑剤組成物に任意成分として使用する成分（ｄ）の増ちょう剤としては、全ての増ちょう剤が挙げられる。例えば、Ｌｉ石けんや複合Ｌｉ石けんに代表される石けん系増ちょう剤、ジウレアに代表されるウレア系増ちょう剤、  有機化クレイやシリカに代表される無機系増ちょう剤、ＰＴＦＥに代表される有機系増ちょう剤などが挙げられるが、  好ましいものはＬｉ石けんであり、さらに具体的にはＬｉヒドロキシステアレートである。
本発明の潤滑剤組成物中の増ちょう剤の量は、好ましくは０〜２０質量％、さらに好ましくは０〜１０質量％である。２０質量％を超えるとグリース組成物が硬くなりすぎ、潤滑部への流入が無くなり充分な効果を得るのが困難になる傾向がある。
【００１０】
本発明の潤滑剤組成物には必要に応じて種々の添加剤を添加することが出来る。このような添加剤としては、例えば、酸化防止剤、錆止め剤、金属腐食防止剤、油性剤、耐摩耗剤、極圧剤、固体潤滑剤組成物等が挙げられる。
本発明の潤滑剤組成物は、上記各成分及びその他の添加剤を所望の配合割合で混合することにより容易に製造することができる。
【００１１】
実施例１〜４、比較例１〜５
表１に示す成分を表１に示す割合で混合し、実施例１〜４、比較例１〜４の潤滑剤組成物を調製した。また、市販のＭｏＤＴＣ入り減速機用グリースを比較例５とした。これらの潤滑剤組成物についてＳＲＶ試験を下記の条件で行い、摩擦係数が安定するまでの時間（分）と、安定時の摩擦係数（μ）を測定した。
2004339411.tif 000002
【００１２】
また、偏心揺動式遊星歯車タイプの減速機（帝人製機株式会社製ＲＶ４５０Ｅ）に潤滑剤組成物を１．５ｋｇ封入し、回転数１ｒｐｍ、負荷トルク４５０ｋｇｆ・ｍ、測定温度２０℃で減速機効率を測定した。結果を表１に示す。
【００１３】
【表１】
2004339411.tif 000003
【００１４】
鉱油：富士興産製、商品名：ＦＵＫＫＯＬ  ＮＴ−３５０
ＭｏＤＴＣ：旭電化工業製、商品名：サクラルーブ１６５
カルシウムスルホネート：日本ルーブリゾール製、商品名：ＬＵＢＲＩＺＯＬ５２８３
【００１５】
表１に示すように、本発明の実施例１〜４の潤滑剤組成物は、カルシウムスルホネートを含まない比較例１、ＭｏＤＴＣを含まない比較例２、カルシウムスルホネートの代わりに亜鉛ジチオホスフェートを用いた比較例３、カルシウムスルホネートの代わりにＳ系極圧剤を用いた比較例４、市販品を用いた比較例５と比較して、安定化時間が短縮され、摩擦係数が低く、減速機効率が高いことがわかる。
【００１６】
【発明の効果】
本発明の減速機用潤滑剤組成物は、従来の減速機用潤滑剤組成物と比較して摩擦低減効果が高く、減速機の効率を改善することができる。従って、これを封入した本発明の減速機は、減速機効率が高い。